(57)【要約】【課題】装飾性に優れた時計を提供すること。【解決手段】影絵装置１００を備えた時計であって、影絵装置は、半透明部３０１と、半透明部の後方に設けられた投影体１１０と、投影体の後方に設けられた光源１２０と、投影体を駆動する駆動手段５００とを備え、光源が発する光によって投影体の影が半透明部に投影される構成の影絵時計である。【選択図】        図３
2004361318.tif 000002
【特許請求の範囲】
【請求項１】
影絵装置を備えた時計であって、前記影絵装置は、半透明部と、前記半透明部の後方に設けられた投影体と、前記投影体の後方に設けられた光源と、前記投影体を駆動する駆動手段とを備え、前記光源が発する光によって前記投影体の影が前記半透明部に投影されることを特徴とする影絵時計。
【請求項２】
前記駆動手段は、振り子装置を用いてなることを特徴とする請求項１記載の影絵時計。
【請求項３】
前記光源には、光拡散部材を装着したことを特徴とする請求項１又は２記載の影絵時計。
【請求項４】
前記光源は、複数の発光ダイオードを用いてなることを特徴とする請求項１乃至３のいずれか記載の影絵時計。
【請求項５】
前記投影体の周囲には、光の洩れを防止するカバー部材を設けたことを特徴とする請求項１乃至４のいずれか記載の影絵時計。
【発明の詳細な説明】
【０００１】
【発明の属する技術分野】
本発明は、装飾的趣向が向上された時計に関する。
【０００２】
【従来の技術】
壁掛け時計や置き時計は、装飾性に優れたものが好まれる傾向にある。この種の時計としては、光を発する光源を設けることによってその装飾性を向上してなるものが知られている。例えば特許文献１乃至４にも、光源の利用についてそれぞれ工夫が施された時計が開示されている。
【０００３】
【特許文献１】実公平７−３６３１７号公報
【特許文献２】特開平１０−２８８６８３号公報
【特許文献３】特開２００２−２２８５１号公報
【特許文献４】特表２００２−５０５７４６号公報
【発明が解決しようとする課題】
さて近年、こうした時計の装飾としては、更に奇抜で斬新なものが求められており、本発明の目的は、かつてないデザイン及び動きを得るべく構造的工夫を検討し、より装飾性に優れた時計を提供することである。
【０００４】
【課題を解決するための手段】
本願第１請求項に記載した発明は、影絵装置を備えた時計であって、前記影絵装置は、半透明部と、前記半透明部の後方に設けられた投影体と、前記投影体の後方に設けられた光源と、前記投影体を駆動する駆動手段とを備え、前記光源が発する光によって前記投影体の影が前記半透明部に投影される構成の影絵時計である。このような構成によると、装飾性に優れた時計が得られる。すなわち、本願発明者は、時計を装飾する工夫として所謂影絵の採用を発案し、かかる影絵時計を発明した。時計を見る者は、半透明部に投影された投影体の影の動きを観賞し、これを楽しむことが可能である。このように本発明は、時計の装飾について、影絵による装飾効果を得ることにより、見た目の面白さや美しさを向上してなる影絵時計である。
【０００５】
本願第２請求項に記載した発明は、請求項１において、前記駆動手段は、振り子装置を用いてなる構成の影絵時計である。すなわち、投影体は、振り子を利用して駆動することが可能である。
【０００６】
本願第３請求項に記載した発明は、請求項１又は２において、前記光源には、光拡散部材を装着した構成の影絵時計である。すなわち、光源の光が半透明部に直接照射されると、半透明部に光源の輪郭が映ることによって美観を損う場合があるが、本発明によれば、そのような事態を回避することが可能である。
【０００７】
本願第４請求項に記載した発明は、請求項１乃至３のいずれかにおいて、前記光源は、複数の発光ダイオードを用いてなる構成の影絵時計である。すなわち、光源としては、複数の発光ダイオードを用いることが可能である。尚、本発明においては、光の色が異なる複数の発光ダイオードを用いるとともに、点灯する発光ダイオードを場合に応じて変えるように構成してもよい。このような構成によると、点灯する発光ダイオードの数や色により、影絵の明るさや色彩について多様なパターンを設定することが可能となる。
【０００８】
本願第５請求項に記載した発明は、請求項１乃至４のいずれかにおいて、前記投影体の周囲には、光の洩れを防止するカバー部材を設けた構成の影絵時計である。すなわち、このようなカバー部材にて光の洩れを防止することによれば、影絵の形成に対し、光源の光を十分に利用することが可能となる。
【発明の実施の形態】
以下に、本発明の具体例を図面に基づいて詳細に説明する。図１乃至図６に示す本例の時計１は、影絵装置１００を備えたアナログ式且つ電波修正式の置き時計又は壁掛け時計であり、正時（分針４０２が１２時を指し示す状態）になると、スピーカ（図示は省略）から報知音を発声するとともに、文字板３００の要所に設けられた半透明部３０１に影絵が浮かびあがる構成となっている。各部の制御は、所要のプログラムを格納したマイコン（図示は省略）によってなされる。
【０００９】
影絵時計１は、内部を文字板３００にて前後に区画されるとともに正面に透明板２１０を装着してなる時計ケース２００を備えている。時針４０１、分針４０２、及び秒針４０３を駆動するムーブメント４００は、指針パイプ４１０を文字板３００に貫通した状態で文字板３００の裏面に配置されている。
【００１０】
また、時計ケース２００の後方スペースには、振り子装置５００が配置されている。振り子装置５００は、時計ケース２００の要所に設けられた支軸５１０と、支軸５１０に対して揺動可能に装着された振り子５２０と、時計ケース２００の要所に設けられた振り子駆動回路５３０とを備えている。振り子５２０は、振り子駆動回路５３０が発生する磁力が振り子５２０の要所に設けられた磁石５２１に作用することにより、支軸５１０を中心に定常的に揺動する。
【００１１】
振り子５２０には、絵柄が設けられた装飾用プレート５２２が設けられており、この装飾用プレート５２２は、文字板３００に設けられた開口部３０２から時計ケース２００の正面側に露呈されている。開口部３０２を通して観察される装飾用プレート５２２の絵柄は、振り子５２０の揺動に伴い左右に往復移動する（図４乃至図６参照）。
【００１２】
影絵装置１００は、文字板３００に設けられた半透明部３０１と、半透明部３０１の後方に設けられた投影体１１０と、投影体１１０の後方に設けられた光源１２０と、投影体１１０を駆動する駆動手段とを備え、光源１２０が発する光によって投影体１１０の影が半透明部３０１に投影されるものである。
【００１３】
文字板３００は、適宜色に着色された半透明プレート３１０と、光を遮る遮光性プレート３２０とを重ね合わせてなるものである。半透明部３０１は、遮光性プレート３２０の要所に抜き部３２１を設けて構成されている。
【００１４】
本例の投影体１１０は、光を透過する透光性プレートに適宜形状の遮光部１１１を設けてなるものである。半透明部３０１には、遮光部１１１の影が投影される。
【００１５】
また、この投影体１１０は、振り子５２０に支持されており、振り子５２０の揺動に伴い左右に往復移動する（図４乃至図６参照）。つまり本例の場合、投影体１１０を駆動する駆動手段は、振り子装置５００を用いてなるものである。半透明部３０１に投影された投影体１１０の影（つまり遮光部１１１の影）もまた、投影体１１０の動きに応じて左右に往復移動する。
【００１６】
光源１２０は、基板に搭載された複数の発光ダイオード１２１からなり、正時になると所定の時間点灯する構成となっている。各発光ダイオード１２１には、それぞれ光拡散部材１２２を装着している。光拡散部材１２２としては、例えば表面に細かな凹凸を設けた透明体を用いる。或いは、キャップ状のフレネルレンズ等を用いることも可能である。
【００１７】
尚、本例の場合は、光の色が異なる複数の発光ダイオード１２１を用いるとともに、点灯する発光ダイオード１２１を場合に応じて変えるように構成している。つまり、点灯する発光ダイオード１２１の数や色により、影絵の明るさや色彩について多様なパターンを設定し、各時刻によってそのパターンが変化する構成となっている。このような構成によれば、影絵時計１の装飾性は一層向上される。
【００１８】
また、影絵の明暗は、影絵時計１の設置場所の明るさにも影響される。そこで、影絵時計１の要所にその設置場所の明るさを検出するセンサを設け、検出された明るさに応じて点灯する発光ダイオード１２１を決定するように構成してもよい。或いは、昼間と夜間とで発光ダイオード１２１の点灯数を変えるように予め設定することも可能である。このような構成によれば、発光ダイオード１２１は状況に応じて効率よく点灯させることができる。
【００１９】
更に、比較的明るい設置場所においては、外部からの光が投影体１１０（本例では遮光部１１１）に反射し、これが半透明部を通して見える場合が考えられる。投影体１１０の色は、かかる場合を踏まえつつ全体のデザイン調和を考慮して設定するとよい。
【００２０】
以上のように、本例の影絵時計１は、時計の装飾について、影絵による装飾効果を得ることにより、見た目の面白さや美しさを向上してなるものである。時計を見る者は、正時において半透明部３０１に投影された投影体１１０の影の動きを観賞し、これを楽しむことができる。
【００２１】
次に、本発明の第２具体例を図７乃至図１２に基づいて説明する。本例の影絵時計１は、遮光性のプレート部材からなる適宜形状の一対の投影体１１０を、リンク機構５４０を介して振り子５２０と連結してなるものである。
【００２２】
各投影体１１０は、時計ケース２００の要所に支持された支持体２０１にその軸部１１２を載置することにより、軸部１１２の支点を中心にそれぞれ揺動可能となっている。またリンク機構５４０は、振り子５２０に設けられたカム体５４１と、カム体５４１及び各投影体１１０にそれぞれ係止された一対のリンク部材５４２とを備えたものである。カム体５４１、一対のリンク部材５４２、及び一対の投影体１１０の要所には、それらを互いに係止するボス及び溝がそれぞれ設けられている。このような構成によると、一対のリンク部材５４２は、振り子５２０の揺動に伴い各軸部１１２の支点を中心にそれぞれ揺動し、半透明部３０１には、その影が投影される。
【００２３】
また、図中の１３０は、時計ケース２００に固定された第２投影体である。第２投影対１３０もまた、遮光性のプレート部材からなる適宜形状のものである。半透明部３０１には、かかる第２投影体１３０の影も投影される。このように、駆動手段にて駆動される投影体１１０とともに、駆動されない第２投影体１３０を設けてもよい。
【００２４】
尚、投影体１１０及び第２投影体１３０は、影絵の輪郭を明確にするべく、半透明部３０１にできるだけ接近させて配置する。また、それらを構成するプレート部材の厚さが影絵の輪郭に影響する場合は、その周縁部が薄くなるようにテーパを形成するとよい。
【００２５】
また本例の場合、投影体１１０及び第２投影体１３０の周囲には、光の洩れを防止するカバー部材１０１を設けている。このようなカバー部材１０１にて光の洩れを防止することによれば、影絵の形成に対し、光源１２０の光を十分に利用することが可能となる。尚、その他の構成は前述した具体例と同様である。
【００２６】
以上のように、投影体１１０は、リンク機構５４０を介して駆動するように構成してもよい。
【００２７】
【発明の効果】
以上説明したように、本発明は、影絵装置を備えた時計であって、前記影絵装置は、半透明部と、前記半透明部の後方に設けられた投影体と、前記投影体の後方に設けられた光源と、前記投影体を駆動する駆動手段とを備え、前記光源が発する光によって前記投影体の影が前記半透明部に投影される構成の影絵時計である。このような構成によると、装飾性に優れた時計を得ることができる。
【図面の簡単な説明】
【図１】本発明の具体例に係り、影絵時計（影絵非形成時）を示す正面図である。
【図２】本発明の具体例に係り、影絵時計（影絵形成時）を示す正面図である。
【図３】本発明の具体例に係り、影絵時計を示す透視側面断面図である。
【図４】本発明の具体例に係り、投影体及び駆動手段を示す説明図である。
【図５】本発明の具体例に係り、投影体及び駆動手段を示す説明図である。
【図６】本発明の具体例に係り、投影体及び駆動手段を示す説明図である。
【図７】本発明の具体例に係り、影絵時計（影絵非形成時）を示す正面図である。
【図８】本発明の具体例に係り、影絵時計（影絵形成時）を示す正面図である。
【図９】本発明の具体例に係り、影絵時計を示す透視側面断面図である。
【図１０】本発明の具体例に係り、投影体及び駆動手段を示す説明図である。
【図１１】本発明の具体例に係り、投影体及び駆動手段を示す説明図である。
【図１２】本発明の具体例に係り。投影体及び駆動手段を示す説明図である。
【符号の説明】
１      影絵時計
１００      影絵装置
１１０      投影体
１１１      遮光部
１１２      軸部
１２０      光源
１２１      発光ダイオード
１２２      光拡散部材
１３０      第２投影体
２００      時計ケース
２０１      支持体
２１０      透明板
３００      文字板
３０１      半透明部
３０２      開口部
３１０      半透明プレート
３２０      遮光性プレート
３２１      抜き部
４００      ムーブメント
４０１      時針
４０２      分針
４０３      秒針
４１０      指針パイプ
５００      振り子装置
５１０      支軸
５２０      振り子
５２１      磁石
５２２      装飾用プレート
５３０      振り子駆動回路
５４０      リンク機構
５４１      カム体
５４２      リンク部材
【図１】
2004361318.tif 000003
【図２】
2004361318.tif 000004
【図３】
2004361318.tif 000005
【図４】
2004361318.tif 000006
【図５】
2004361318.tif 000007
【図６】
2004361318.tif 000008
【図７】
2004361318.tif 000009
【図８】
2004361318.tif 000010
【図９】
2004361318.tif 000011
【図１０】
2004361318.tif 000012
【図１１】
2004361318.tif 000013
【図１２】
2004361318.tif 000014